(57)【要約】【課題】電灯線通信に用いるモデムの変調方式が統一されていない欧州においても、同一の変調方式のモデムを搭載した電化製品を買い揃えることなく、家庭内の全電化製品の制御を電灯線通信により行うこと。【解決手段】管理装置１００は、各電化製品（１０４〜１１２）に接続された電灯線１０３のネットワークに対して定期的に複数の変調方式で順次、各電化製品が搭載するモデム（ＰＬＣユニット）の変調方式を確認する旨の制御信号を送信し、各電化製品がいずれの変調方式の制御信号に応答したかを監視し、応答してきた変調方式の制御信号に基づいて電化製品毎にいずれの変調方式のモデムを搭載しているかを登録する。【選択図】      図１
2004201065.tif 000002
【特許請求の範囲】
【請求項１】
各電化製品に接続された電灯線のネットワークに対して複数の変調方式で順次、各電化製品が搭載するモデムの変調方式を確認する旨の制御信号を送信し、各電化製品がいずれの変調方式の制御信号に応答したかを監視し、応答してきた変調方式の制御信号に基づいて電化製品毎にいずれの変調方式のモデムを搭載しているか登録することを特徴する電化製品を電灯線通信により制御する管理装置。
【請求項２】
前記各電化製品が搭載するモデムの変調方式を確認する旨の制御信号の送出は、定期的又は任意の操作により行なわれることを特徴とする請求項１記載の電化製品を電灯線通信により制御する管理装置。
【請求項３】
電灯線のネットワークを介して電化製品から信号を受信した場合前記電化製品が搭載するモデムの変調方式が登録済みか否かを判断し、未登録の場合前記信号の搬送波の変化点を検出し、この変化点が出現する時間間隔から信号の伝送速度を判断し、これに基づいて前記電化製品に搭載されたモデムの変調方式を判断し、電化製品毎にいずれの変調方式のモデムを搭載しているか登録することを特徴する電化製品を電灯線通信により制御する管理装置。
【請求項４】
前記変調方式は、ＡＳＫ変調方式、ＦＳＫ変調方式及びＰＳＫ変調方式であることを特徴とする請求項１から請求項３のいずれかに記載の電化製品を電灯線通信により制御する管理装置。
【請求項５】
電灯線のネットワークに接続された各電化製品が搭載したモデムの変調方式を登録する登録手段と、電灯線のネットワークに接続された第１電化製品から前記第１電化製品の状態を示す所定の制御信号を検知してこれを第２電化製品に通知する通信を行う場合、前記第１電化製品が搭載したモデムの変調方式と前記第２電化製品が搭載したモデムの変調方式とを比較し、両者が異なる場合、前記第１電化製品が搭載したモデムの変調方式の制御信号を前記第２電化製品が搭載したモデムの変調方式の制御信号に変換して第２電化製品に通知する制御手段と、を具備することを特徴とする電化製品を電灯線通信により制御する管理装置。
【請求項６】
電灯線のネットワークに接続された各電化製品が搭載したモデムの変調方式を登録する登録手段と、電灯線のネットワークに接続された第１電化製品である冷蔵庫から冷蔵庫のドアが所定時間以上開いている旨を示す所定の制御信号を検知してこれを第２電化製品であるテレビに通知する通信を行う場合、前記第１電化製品が搭載したモデムの変調方式と前記第２電化製品が搭載したモデムの変調方式を比較し、両者が異なる場合、前記第１電化製品が搭載したモデムの変調方式の制御信号を前記第２電化製品が搭載したモデムの変調方式の制御信号に変換して第２電化製品に通知し、前記第２電化製品であるテレビの画面にその旨の表示をさせる制御手段と、を具備することを特徴とする電化製品を電灯線通信により制御する管理装置。
【請求項７】
電化製品を電灯線通信により制御する管理装置の制御方法であって、各電化製品に接続された電灯線のネットワークに対して複数の変調方式で順次、各電化製品が搭載するモデムの変調方式を確認する旨の制御信号を送信し、各電化製品がいずれの変調方式の制御信号に応答したかを監視し、応答してきた変調方式の制御信号に基づいて電化製品毎にいずれの変調方式のモデムを搭載しているか登録することを特徴する管理装置の制御方法。
【請求項８】
前記各電化製品が搭載するモデムの変調方式を確認する旨の制御信号の送出は、定期的又は任意の操作により行なわれることを特徴とする請求項７記載の管理装置の制御方法。
【請求項９】
電化製品を電灯線通信により制御する管理装置の制御方法であって、電灯線のネットワークを介して電化製品から信号を受信した場合前記電化製品が搭載するモデムの変調方式が登録済みか否かを判断し、未登録の場合前記信号の搬送波の変化点を検出し、この変化点が出現する時間間隔から信号の伝送速度を判断し、これに基づいて前記電化製品に搭載されたモデムの変調方式を判断し、電化製品毎にいずれの変調方式のモデムを搭載しているか登録することを特徴する管理装置の制御方法。
【請求項１０】
前記変調方式は、ＡＳＫ変調方式、ＦＳＫ変調方式及びＰＳＫ変調方式であることを特徴とする請求項７から請求項９のいずれかに記載の管理装置の制御方法。
【請求項１１】
電化製品を電灯線通信により制御する管理装置の制御方法であって、電灯線のネットワークに接続された第１電化製品から前記第１電化製品の状態を示す所定の制御信号を検知してこれを第２電化製品に通知する通信を行う場合、前記第１電化製品が搭載したモデムの変調方式と前記第２電化製品が搭載したモデムの変調方式を比較し、両者が異なる場合、前記第１電化製品が搭載したモデムの変調方式の制御信号を前記第２電化製品が搭載したモデムの変調方式の制御信号に変換して第２電化製品に通知することを特徴とする管理装置の制御方法。
【請求項１２】
電化製品を電灯線通信により制御する管理装置の制御方法であって、電灯線のネットワークに接続された第１電化製品である冷蔵庫から冷蔵庫のドアが所定時間以上開いている旨を示す所定の制御信号を検知してこれを第２電化製品であるテレビに通知する通信を行う場合、前記第１電化製品が搭載したモデムの変調方式と前記第２電化製品が搭載したモデムの変調方式を比較し、両者が異なる場合、前記第１電化製品が搭載したモデムの変調方式の制御信号を前記第２電化製品が搭載したモデムの変調方式の制御信号に変換して第２電化製品に通知し、前記第２電化製品であるテレビの画面にその旨の表示をさせることを特徴とする管理装置の制御方法。
【発明の詳細な説明】
【０００１】
【発明の属する技術分野】
本発明は、電化製品を電灯線通信により制御する管理装置及びその制御方法に関する。
【０００２】
【従来の技術】
従来、電灯線通信により家庭内の各電化製品を制御するシステムが存在する。電灯線通信は、各電化製品に電力を供給する電灯線を通信媒体として利用する通信形態である。家庭内に設置された各電化製品に電灯線通信用のモデムを搭載し、また、各電化製品を集中管理する管理装置を設け、この管理装置から各電化製品に対する種々の制御を行う。例えば、管理装置は、冷蔵庫のドアが所定時間以上開いていることを検知し、その旨の情報をテレビ画面上に表示して注意を促したりできる。また、各電化製品の消費電力量の総和が契約電力量を超えないよう制御したりできる（例えば、特許文献１参照）。
【０００３】
【特許文献】
特開２００２−８４６５８号公報
【０００４】
【発明が解決しようとする課題】
しかし、かかる従来の技術では、以下のような問題が生じていた。
【０００５】
即ち、電灯線通信に関しては、共通の国際規格が存在せず、各国または地域毎に対応が異なっている。特に、各国または地域毎に、電灯線通信が可能な割当て周波数帯域、電化製品に使用する電圧及び既に使用されている周波数帯域(例えば、ラジオ放送)への漏洩電波の影響などに起因して、国際的調整は困難となっている。
【０００６】
日本では、業界団体であるＥＣＨＯＮＥＴコンソーシアムを中心に電灯線通信の国内規格が統一されているが、一方、欧州では、電灯線通信に用いる周波数帯域の規定はあるが、モデムの変調方式は定められていない。更に、European Norm 50065-1においてＣ帯域（１２５−１４０kHz）と呼ばれる周波数帯域は、異なる変調方式の衝突回避のためのアクセスプロトコル（Carrier Sense Multiple-Access（CSMA））が規定されている。そのため、CSMAプロトコルさえ守れば種々の変調方式によるシステム構築が可能である。
【０００７】
具体的な変調方式としては、ＡＳＫ（Amplitude-Shift Keying）変調方式、ＦＳＫ（Frequency-Shift Keying）変調方式、ＰＳＫ（Phase-Shift Keying）変調方式などがある。各変調方式には一長一短がある。
【０００８】
それぞれの変調方式には、一般的に以下の特徴がある。ＡＳＫ変調方式は、回路を簡単に構成できるという利点がある一方で雑音に弱いという欠点がある。また、ＰＳＫ変調方式は、雑音に強いという利点である一方で回路構成が複雑となるという欠点がある。ＦＳＫ方式は、前記ＡＳＫ変調方式と前記ＰＳＫ変調方式との中間的特長を持つ。
【０００９】
そのため、欧州の電化製品に搭載されるモデムの変調方式は統一化されておらず、電灯線通信機能を持つ電化製品を購入しても、異なる変調方式の電化製品間では電灯線通信ができないという問題があった。
【００１０】
本発明は、かかる問題点に鑑みて為されたものであり、電灯線通信に用いるモデムの変調方式が統一されていない欧州においても、同一の変調方式のモデムを搭載した電化製品を買い揃えることなく、家庭内の全電化製品の制御を電灯線通信により行うことができる管理装置及びその制御方法を提供することを目的とする。
【００１１】
【課題を解決するための手段】
本発明は、各電化製品に接続された電灯線のネットワークに対して複数の変調方式で順次、各電化製品が搭載するモデムの変調方式を確認する旨の制御信号を送信し、各電化製品がいずれの変調方式の制御信号に応答したかを監視し、応答してきた変調方式の制御信号に基づいて電化製品毎にいずれの変調方式のモデムを搭載しているか登録するものである。
【００１２】
本発明によれば、電灯線のネットワークに接続されている各電化製品に搭載されたモデムの変調方式が異なっていても、管理装置が各電化製品に搭載されたモデムの変調方式を確認して登録することにより、この管理装置が各電化製品に搭載されたモデムの変調方式に適合した制御を行うことが可能となるので、同一の変調方式のモデムを搭載した電化製品を買い揃えることなく、電灯線通信による家庭内の電化製品の制御を実現できる。
【００１３】
【発明の実施の形態】
本発明の第１の態様に係る電化製品を電灯線通信により制御する管理装置は、各電化製品に接続された電灯線のネットワークに対して複数の変調方式で順次、各電化製品が搭載するモデムの変調方式を確認する旨の制御信号を送信し、各電化製品がいずれの変調方式の制御信号に応答したかを監視し、応答してきた変調方式の制御信号に基づいて電化製品毎にいずれの変調方式のモデムを搭載しているか登録する構成を採る。
【００１４】
この構成によれば、電灯線のネットワークに接続されている各電化製品に搭載されたモデムの変調方式が異なっていても、管理装置が各電化製品に搭載されたモデムの変調方式を確認して登録することにより、この管理装置が各電化製品に搭載されたモデムの変調方式に適合した制御を行うことが可能となるので、同一の変調方式のモデムを搭載した電化製品を買い揃えることなく、電灯線通信による電化製品の制御を実現できる。
【００１５】
本発明の第２の態様は、第１の態様に係る電化製品を電灯線通信により制御する管理装置において、前記各電化製品が搭載するモデムの変調方式を確認する旨の制御信号の送出は、定期的又は任意の操作により行なわれる構成を採る。
【００１６】
この構成によれば、各電化製品が搭載するモデムの変調方式の確認は、定期的に行われるので、新規に購入した電化製品についても、その変調方式を自動的に登録して漏れることなく対応することができる。
【００１７】
また、各電化製品が搭載するモデムの変調方式の確認を、定期的にではなく任意の操作により行なうと、新規に電化製品を購入した場合その時点で手動によりその電化製品が搭載したモデムの変調方式を登録できるので、定期的に確認を行う場合のように、新規の電化製品を設置してから自動的に確認動作が行われるまでの間に、その電化製品に対応できないという不都合を解消できる。
【００１８】
本発明の第３の態様に係る電化製品を電灯線通信により制御する管理装置は、電灯線のネットワークを介して電化製品から信号を受信した場合前記電化製品が搭載するモデムの変調方式が登録済みか否かを判断し、未登録の場合前記信号の搬送波の変化点を検出し、この変化点が出現する時間間隔から信号の伝送速度を判断し、これに基づいて前記電化製品に搭載されたモデムの変調方式を判断し、電化製品毎にいずれの変調方式のモデムを搭載しているか登録する構成を採る。
【００１９】
この構成によれば、管理装置が各電化製品に搭載されたモデムの変調方式を登録していない場合であっても、電化製品から信号が送信されて来た場合、その信号に基づいて各電化製品に搭載されたモデムの変調方式を判断して登録することにより、電灯線のネットワークに接続されている各電化製品に搭載されたモデムの変調方式が異なっていても、管理装置が各電化製品に搭載されたモデムの変調方式に適合した制御を行うことが可能となるので、同一の変調方式のモデムを搭載した電化製品を買い揃えることなく、電灯線通信による電化製品の制御を実現できる。
【００２０】
本発明の第４の態様は、第１から第３のいずれかの態様に係る電化製品を電灯線通信により制御する管理装置において、前記変調方式は、ＡＳＫ変調方式、ＦＳＫ変調方式及びＰＳＫ変調方式である構成を採る。
【００２１】
この構成によれば、ＡＳＫ変調方式、ＦＳＫ変調方式及びＰＳＫ変調方式のモデムを搭載された電化製品間において、これらのモデムの変調方式が異なっていても、管理装置が各電化製品に搭載されたモデムの変調方式に適合した制御を行うことが可能となるので、同一の変調方式のモデムを搭載した電化製品を買い揃えることなく、電灯線通信による電化製品の制御を実現できる。
【００２２】
本発明の第５の態様に係る電化製品を電灯線通信により制御する管理装置は、電灯線のネットワークに接続された各電化製品が搭載したモデムの変調方式を登録する登録手段と、電灯線のネットワークに接続された第１電化製品から前記第１電化製品の状態を示す所定の制御信号を検知してこれを第２電化製品に通知する通信を行う場合、前記第１電化製品が搭載したモデムの変調方式と前記第２電化製品が搭載したモデムの変調方式とを比較し、両者が異なる場合、前記第１電化製品が搭載したモデムの変調方式の制御信号を前記第２電化製品が搭載したモデムの変調方式の制御信号に変換して第２電化製品に通知する制御手段と、を具備する構成を採る。
【００２３】
この構成によれば、電灯線のネットワークに接続されている各電化製品に搭載されたモデムの変調方式が異なっていても、各電化製品に搭載されたモデムの変調方式に関する情報に基づいて第１電化製品が搭載したモデムの変調方式の制御信号と第２電化製品が搭載したモデムの変調方式の制御信号とを変換して第１電化製品と第２電化製品との間の通信を行うので、同一の変調方式のモデムを搭載した電化製品を買い揃えることなく、電灯線通信による電化製品の制御を実現できる。
【００２４】
本発明の第６の態様に係る電化製品を電灯線通信により制御する管理装置は、電灯線のネットワークに接続された各電化製品が搭載したモデムの変調方式を登録する登録手段と、電灯線のネットワークに接続された第１電化製品である冷蔵庫から冷蔵庫のドアが所定時間以上開いている旨を示す所定の制御信号を検知してこれを第２電化製品であるテレビに通知する通信を行う場合、前記第１電化製品が搭載したモデムの変調方式と前記第２電化製品が搭載したモデムの変調方式を比較し、両者が異なる場合、前記第１電化製品が搭載したモデムの変調方式の制御信号を前記第２電化製品が搭載したモデムの変調方式の制御信号に変換して第２電化製品に通知し、前記第２電化製品であるテレビの画面にその旨の表示をさせる制御手段と、を具備する構成を採る。
【００２５】
この構成によれば、電灯線のネットワークに接続されている各電化製品に搭載されたモデムの変調方式が異なっていても、各電化製品に搭載されたモデムの変調方式に関する情報に基づいて第１電化製品である冷蔵庫が搭載したモデムの変調方式の制御信号と第２電化製品であるテレビが搭載したモデムの変調方式の制御信号とを変換して、冷蔵庫のドアが所定時間以上開いている旨をテレビの画面に表示させるので、同一の変調方式のモデムを搭載した電化製品を買い揃えることなく、電灯線通信による電化製品の制御を実現できる。
【００２６】
本発明の第７の態様に係る管理装置の制御方法は、電化製品を電灯線通信により制御する管理装置の制御方法であって、各電化製品に接続された電灯線のネットワークに対して複数の変調方式で順次、各電化製品が搭載するモデムの変調方式を確認する旨の制御信号を送信し、各電化製品がいずれの変調方式の制御信号に応答したかを監視し、応答してきた変調方式の制御信号に基づいて電化製品毎にいずれの変調方式のモデムを搭載しているか登録するものである。
【００２７】
本発明の第８の態様は、第７の態様に係る管理装置の制御方法において、前記各電化製品が搭載するモデムの変調方式を確認する旨の制御信号の送出は、定期的又は任意の操作により行なわれるものである。
【００２８】
本発明の第９の態様に係る管理装置の制御方法は、電化製品を電灯線通信により制御する管理装置の制御方法であって、電灯線のネットワークを介して電化製品から信号を受信した場合前記電化製品が搭載するモデムの変調方式が登録済みか否かを判断し、未登録の場合前記信号の搬送波の変化点を検出し、この変化点が出現する時間間隔から信号の伝送速度を判断し、これに基づいて前記電化製品に搭載されたモデムの変調方式を判断し、電化製品毎にいずれの変調方式のモデムを搭載しているか登録するものである。
【００２９】
本発明の第１０の態様は、第７〜第９のいずれかの態様に係る管理装置の制御方法において、前記変調方式は、ＡＳＫ変調方式、ＦＳＫ変調方式及びＰＳＫ変調方式であるものである。
【００３０】
本発明の第１１の態様に係る管理装置の制御方法は、電化製品を電灯線通信により制御する管理装置の制御方法であって、電灯線のネットワークに接続された第１電化製品から前記第１電化製品の状態を示す所定の制御信号を検知してこれを第２電化製品に通知する通信を行う場合、前記第１電化製品が搭載したモデムの変調方式と前記第２電化製品が搭載したモデムの変調方式を比較し、両者が異なる場合、前記第１電化製品が搭載したモデムの変調方式の制御信号を前記第２電化製品が搭載したモデムの変調方式の制御信号に変換して第２電化製品に通知するものである。
【００３１】
本発明の第１２の態様に係る管理装置の制御方法は、電化製品を電灯線通信により制御する管理装置の制御方法であって、電灯線のネットワークに接続された第１電化製品である冷蔵庫から冷蔵庫のドアが所定時間以上開いている旨を示す所定の制御信号を検知してこれを第２電化製品であるテレビに通知する通信を行う場合、前記第１電化製品が搭載したモデムの変調方式と前記第２電化製品が搭載したモデムの変調方式を比較し、両者が異なる場合、前記第１電化製品が搭載したモデムの変調方式の制御信号を前記第２電化製品が搭載したモデムの変調方式の制御信号に変換して第２電化製品に通知し、前記第２電化製品であるテレビの画面にその旨の表示をさせるものである。
【００３２】
以下、本発明の実施の形態について図面を参照して詳細に説明する。
【００３３】
図１は、本発明の一実施の形態に係る管理装置が適用される家庭内ネットワークの構成を示すブロック図である。
【００３４】
図１に示すように、家庭内ネットワークには、管理装置１００が設けられている。この管理装置１００には、家庭内に配置された電化製品が接続されている。また、管理装置１００は、通信回線を介して公衆回線網(PSTN, xDSL, WLL, Cable等)１０２との間で各種データ通信を行う。
【００３５】
管理装置１００と各電化製品との間は、電灯線１０３により接続されている。電灯線１０３は、電力会社１０１からブレーカ（Ｂ）などを経由して電力供給を受け、各電化製品に電力を供給する共に、管理装置１００と、室内照明１０４、エアコン１０５、室内照明１０６、テレビ１０７、テレビ１０８、洗濯機１０９、電子レンジ１１０、冷蔵庫１１１及び室内照明１１２等の電化製品との間の各種信号の送受信を行う通信路の媒体として使用される。すなわち、電灯線１０３は、管理装置１００が各電化製品の集中管理を行うための家庭内ネットワークシステムの通信路を形成している。
【００３６】
上記管理装置１００や各電化製品は、電灯線１０３の電圧へ信号を乗せて、すなわち、電力供給中の電灯線１０３に搬送波を重ねて送信する一方、電灯線１０３の電圧から信号を抽出して受信するＰＬＣ（Power Line Communication）ユニットを備えている。このＰＬＣユニットを用いることにより、管理装置１００及び各電化製品は、通信路として電灯線１０３を用いて情報の授受を行うことができる。
【００３７】
各電化製品に設けられたＰＬＣユニットは、電灯線１０３を用いて通信を行う場合に各電化製品に予め設定された変調方式で変復調処理を実行して通信を実現するモデムとして機能する。一方、管理装置１００に設けられたＰＬＣユニットは、各電化製品の変調方式に対応できるように複数の変調方式で変復調処理を実行して通信を実現するモデムとして機能する。単一の変調方式を有する電化製品に設けられたＰＬＣユニットに対して、管理装置１００に設けられたＰＬＣユニットを、マルチＰＬＣユニットと呼ぶものとする。
【００３８】
図２は、本実施の形態に係る管理装置１００の概略構成を示すブロック図である。
【００３９】
同図に示すように、管理装置１００は、装置全体の制御を行うＣＰＵ２０１と、このＣＰＵ２０１が装置全体の制御を行う際に実行するプログラムが格納されたメモリ２０２と、公衆回線網１０２と接続された通信回線とのインターフェイスを取る外部インターフェイス２０３と、上述のマルチＰＬＣユニット２０４と、を備えている。
【００４０】
また、メモリ２０２には、マルチＰＬＣユニット２０４が各電化製品と通信を行う場合に参照されるテーブル（以下、「電化製品情報テーブル」という）が格納されている。
【００４１】
図３は、本実施の形態に係る管理装置１００のメモリ２０２に格納される電化製品情報テーブルの一例を示す図である。ここでは、既に電化製品の情報が登録されている場合について示している。
【００４２】
電化製品テーブル３００には、電灯線１０３に接続された電化製品３０１に対応して、各電化製品が搭載するＰＬＣユニットが保有する変調方式３０２、データ伝送速度３０３、アドレス３０４及びプロトコル種別等その他の情報３０５が登録される。図３の例を用いれば、エアコン１０５が搭載するＰＬＣユニットは、変調方式としてＰＳＫによる変調方式を保有し、そのデータ伝送速度が５４００ｂｐｓである。また、エアコン１０５のアドレスは０Ｘ０１０５であり、その他の情報としてＥＣＨＯＮＥＴに対応可能であることが登録されている。
【００４３】
図４は、本実施の形態に係る管理装置１００のマルチＰＬＣユニット２０４の構成を示すブロック図である。
【００４４】
図４に示すマルチＰＬＣユニット２０４において、カプラ４０１は、電灯線通信に用いられる帯域の信号だけを抽出する。ＢＰＦ（Band Pass Filter）４０２は、モータ等が発生させるノイズを除去し、電灯線通信に必要な信号だけを取得する。ＡＦＥ（Analog Front End）４０３は、ＢＰＦが抽出した信号にアナログ／デジタル変換処理を施す。
【００４５】
変調部４０４は、ＣＰＵ２０１から指示された変調方式を選択し、各電化製品への送信信号に変調処理を施す。復調部４０５は、各電化製品からの受信信号の変調方式を判断し、その変調方式に応じて復調処理を施す。
【００４６】
変調部４０４は、ＡＳＫ変調部４０６、ＦＳＫ変調部４０７、ＰＳＫ変調部４０８及び変調部切替部４０９を備えている。ＡＳＫ変調部４０６、ＦＳＫ変調部４０７及びＰＳＫ変調部４０８は、それぞれ送信信号にＡＳＫ方式による変調処理、ＦＳＫ方式による変調処理及びＰＳＫ方式による変調処理を施す。なお、各変調部４０６〜４０８は、複数の変調速度（データ伝送速度）に対応可能な構成となっている。変調部切替部４０９は、ＣＰＵ２０１からの指示に応じて送信信号の送出先を、ＡＳＫ変調部４０６、ＦＳＫ変調部４０７及びＰＳＫ変調部４０８の間で切り替える。
【００４７】
復調部４０５は、ＡＳＫ復調部４１０、ＦＳＫ復調部４１１、ＰＳＫ復調部４１２、受信変調信号判定部４１３及びエネルギー検出部４１４を備えている。ＡＳＫ復調部４１０、ＦＳＫ復調部４１１及びＰＳＫ復調部４１２は、それぞれ受信信号にＡＳＫ方式による復調処理、ＦＳＫ方式による復調処理及びＰＳＫ方式による復調処理を施す。なお、各復調部４１０〜４１２は、複数の復調速度（データ伝送速度）に対応可能な構成となっている。
【００４８】
受信変調信号判定部４１３は、受信信号の変調方式を判定し、受信信号の復調を行う復調部を、ＡＳＫ復調部４１０、ＦＳＫ復調部４１１及びＰＳＫ復調部４１２の間で切り替える。エネルギー検出部４１４は、予め定められた周波数帯域において一定値以上のエネルギーを有する受信信号を検出し、その旨を受信変調信号判定部４１３及びＣＰＵ２０１に通知する。この通知を受けると、受信変調信号判定部４１３は、受信信号の変調方式の判定処理を開始する。一方、ＣＰＵ２０１は、受信信号の存在を認識し、電化製品への送信信号の出力を停止する。なお、受信変調信号判定部４１３における受信信号の変調方式の判定処理については後述する。
【００４９】
図５は、本実施の形態に係る管理装置１００と電灯線１０３を介して接続された電化製品の概略構成を示すブロック図である。図５においては、電化製品の一例として、テレビ１０７の構成について説明する。
【００５０】
同図に示すように、テレビ１０７は、テレビ全体の制御を行うＣＰＵ５０１と、このＣＰＵ５０１がテレビ全体の制御を行う際に実行するプログラムや電灯線通信を行う場合に必要となる管理装置１００のアドレスが格納されたメモリ５０２と、電灯線１０３を介して入力された電源を内蔵するマイコン等の構成要素のために調節する電源調節部５０３と、画像を表示する表示部５０４と、電灯線通信を実現するためのモデムとして機能するＰＬＣユニット５０５と、を備えている。
【００５１】
なお、本実施の形態では、メモリ５０２には管理装置１００のアドレスのみが登録された場合について説明するが、これに限定されず、電灯線１０３に接続された電化製品のうち、自機（テレビ１０７）が有する変調方式と同一の変調方式を有する電化製品のアドレスを格納するようにしてもよい。この場合には、ＣＰＵ５０１の制御により、同一の変調方式を有する電化製品と、管理装置１００を介さずに電灯線通信を行うことも可能となる。
【００５２】
図６は、本実施の形態に係る管理装置１００と電灯線１０３を介して接続された電化製品（テレビ１０７）のＰＬＣユニット５０５の構成を示すブロック図である。なお、図６に示すように、テレビ１０７は、電灯線通信を行う場合の変調方式としてＦＳＫ方式による変調処理（以下、「ＦＳＫ変調」といい、その他の変調方式についても同様とする）を実行するものとする。
【００５３】
図６に示すＰＬＣユニット５０５において、カプラ６０１は、電灯線通信に用いられる帯域の信号だけを抽出する。ＢＰＦ（Band Pass Filter）６０２は、モータ等が発生させるノイズを除去し、電灯線通信に必要な信号だけを取得する。ＡＦＥ（Analog Front End）６０３は、ＢＰＦが抽出した信号にアナログ／デジタル変換処理を施す。
【００５４】
また、ＦＳＫ変調部６０４は、管理装置１００への送信信号に対してＦＳＫ変調処理を施す。ＦＳＫ復調部６０５は、管理装置１００からの受信信号に対してＦＳＫ方式による復調処理を施す。エネルギー検出部６０６は、予め定められた周波数帯域において一定値以上のエネルギーを有する受信信号を検出し、その旨をＦＳＫ復調部６０５及びＣＰＵ５０１に通知する。この通知を受けると、ＦＳＫ復調部６０５は、復調処理を開始する。一方、ＣＰＵ５０１は、受信信号の存在を認識し、管理装置１００への送信信号の出力を停止する。
【００５５】
上記構成を有し、管理装置１００は、電灯線１０３を介して接続された電化製品と電灯線通信を行うが、この電灯線通信を行う際、メモリ２０２に格納された電化製品情報テーブル３００上の情報を参照する。したがって、管理装置１００においては、予め電化製品情報テーブル３００に情報を登録しておく必要がある。このため、管理装置１００は、電灯線１０３に接続された各電化製品が有する変調方式を確認するための制御信号を定期的にまたは任意の操作により、送信し、その応答信号により各電化製品が有する変調方式等の情報を登録する。また、上記制御信号が送信される前にいずれかの電化製品から何らかの信号を受信した場合にも、その信号を解析することで当該電化製品が有する変調方式等の情報を登録する。
【００５６】
まず、各電化製品が有する変調方式を確認するための制御信号を定期的にまたは任意の操作により送信し、その応答信号により各電化製品が有する変調方式等の情報を登録する場合について説明する。
【００５７】
図７は、本実施の形態に係る管理装置１００から各電化製品に対して変調方式を確認するための制御信号を送信し、応答信号を受信する場合のシーケンス図である。なお、図７においては、電灯線１０３に接続された電化製品の一つに対するシーケンスを示し、この電化製品は、図５で説明したテレビ１０７であるものとする。
【００５８】
この場合、管理装置１００は、電灯線１０３に接続された各電化製品に対して定期的にまたは任意の操作により、複数の変調方式で順次、各電化製品が有する変調方式を確認する旨の制御信号を送信する。この制御信号は、各電化製品からの応答信号を招待するため、以下、招待信号と呼ぶものとする。
【００５９】
ここで、管理装置１００と電化製品との間で交換されるデータのフレーム構造について説明する。図８は、本実施の形態に係る管理装置１００と電化製品との間で交換されるデータのフレーム構造の模式図の一例である。
【００６０】
図８に示すように、管理装置１００と電化製品との間で交換されるデータのフレームは、データの開始を示すプリアンブル８０１、データの発信元を示す発信元アドレス８０２、データの送信先を示す相手先アドレス８０３、データの種類を示すデータタイプ８０４、データの実体データを示すユーザデータ８０５、データ伝送途中で発生するビット誤りを検出するためのＣＲＣ（Cyclic Redundancy Check）８０６及びデータの終了を示す終結データ８０７から構成される。
【００６１】
上記招待信号が管理装置１００から送信される場合には、発信元アドレス８０２に管理装置１００のアドレスが記述され、相手先アドレス８０３には電灯線１０３を介して接続された全ての電化製品のアドレス、すなわち、ブロードキャストアドレスが記述される。また、データタイプ８０４に招待信号である旨が記述され、ユーザデータ８０５に当該招待信号が示す変調方式等の情報が記述される。
【００６２】
図７に示すように、管理装置１００は、まず、ＡＳＫ変調がされた招待信号をテレビ１０７に送出する（ＳＴ７０１）。管理装置１００は、誤動作を回避するため、ＡＳＫ変調がされた後、一定時間応答を受信しない場合には、このＡＳＫ変調された招待信号の送出を３回繰り返す。なお、図６で説明したように、テレビ１０７は、電灯線通信を行う場合の変調方式としてＦＳＫ変調を実行するものである。このため、テレビ１０７は、この招待信号に応答することができない（ＳＴ７０２）。
【００６３】
一定時間が経過しても３回目に送出したＡＳＫ変調された招待信号に応答がない場合、管理装置１００は、ＰＳＫ変調がされた招待信号をテレビ１０７に送出する（ＳＴ７０３）。ＰＳＫ変調がされた招待信号についても、ＡＳＫ変調された招待信号と同様に３回送出される。これに対してもテレビ１０７は、応答することができない（ＳＴ７０４）。
【００６４】
一定時間が経過してもＰＳＫ変調された招待信号に応答がない場合、管理装置１００は、ＦＳＫ変調がされた招待信号をテレビ１０７に送出する（ＳＴ７０５）。上述のように、テレビ１０７は、ＦＳＫ変調を実行可能であるため、このＦＳＫ変調された招待信号に応答する（ＳＴ７０６）。
【００６５】
この応答信号を受信すると、管理装置１００は、この電化製品（テレビ１０７）が有する変調方式がＦＳＫ変調であると判断し、メモリ２０２の電化製品情報テーブル３００に変調方式等の情報を登録する。
【００６６】
管理装置１００は、このような変調方式等の情報の登録処理を、電灯線１０３に接続された電化製品の全てに対して行う。これにより、メモリ２０２の電化製品テーブル３００には、現時点において電灯線１０３に接続された電化製品が有する変調方式等の情報が全て登録される。
【００６７】
図７に示したシーケンスにおける管理装置１００及び電化製品の動作について説明する。図９は図７に示したシーケンスにおける管理装置１００の動作を説明するためのフロー図である。図１０及び図１１は、図７に示したシーケンスにおける電化製品の動作を説明するためのフロー図である。なお、図１０は、テレビ１０７のＰＬＣユニット５０５の動作を示し、図１１は、テレビ１０７のＣＰＵ５０１の動作を示している。
【００６８】
管理装置１００は、図９に示すように、まず、ＡＳＫ変調した招待信号を電化製品に送信する（ＳＴ９０１）。そして、一定時間が経過する前に電化製品から応答信号を受信するかを判断する（ＳＴ９０２）。応答信号を受信した場合には、管理装置１００は、電化製品がＡＳＫ変調した招待信号に応答可能であるとして、電化製品が有する変調方式がＡＳＫ変調であることをメモリ２０２内の電化製品情報テーブル３００に登録し（ＳＴ９０３）、処理を終了する。このとき、管理装置１００は、応答信号の搬送波の変化点に基づいて電化製品のデータ伝送速度も登録する。なお、図７に示すシーケンスでは、テレビ１０７が有する変調方式がＦＳＫ変調であるため、ここでは応答信号は受信されない。
【００６９】
一方、ＳＴ９０２で応答信号を受信しない場合には、このＡＳＫ変調した招待信号を３回電化製品に送信したか判断する（ＳＴ９０４）。このように招待信号を３回送信したかを判断することで、応答信号を受信できなかったような事態に誤動作するのを回避することができる。ＡＳＫ変調した招待信号を３回送信していない場合には、処理をＳＴ９０１に戻し、ここまでの処理を繰り返す。
【００７０】
ＡＳＫ変調した招待信号を３回送信しているならば、今度はＰＳＫ変調した招待信号についてＳＴ９０１〜ＳＴ９０４と同様の処理を行う。すなわち、まず、ＰＳＫ変調した招待信号を電化製品に送信し（ＳＴ９０５）、一定時間内に応答信号を受信するかを判断する（ＳＴ９０６）。応答信号を受信した場合には、テレがＰＳＫ変調した招待信号に応答可能であるとして、電化製品が有する変調方式がＰＳＫ変調であることをメモリ２０２内の電化製品情報テーブル３００に登録し（ＳＴ９０７）、処理を終了する。一方、応答信号を受信しない場合には、このＰＳＫ変調した招待信号を３回電化製品に送信したか判断する（ＳＴ９０８）。なお、図７に示すシーケンスでは、テレビ１０７が有する変調方式がＦＳＫ変調であるため、ここでは応答信号は受信されない。
【００７１】
ＰＳＫ変調した招待信号を３回送信しているならば、今度はＦＳＫ変調した招待信号についてＳＴ９０１〜ＳＴ９０４と同様の処理を行う。すなわち、まず、ＦＳＫ変調した招待信号を電化製品に送信し（ＳＴ９０９）、一定時間内に応答信号を受信するかを判断する（ＳＴ９１０）。応答信号を受信した場合には、電化製品がＦＳＫ変調した招待信号に応答可能であるとして、電化製品が有する変調方式がＦＳＫ変調であることをメモリ２０２内の電化製品情報テーブル３００に登録し（ＳＴ９１１）、処理を終了する。一方、応答信号を受信しない場合には、このＦＳＫ変調した招待信号を３回電化製品に送信したか判断する（ＳＴ９１２）。３回送信したならば、処理を終了する。なお、図７に示すシーケンスでは、テレビ１０７が有する変調方式がＦＳＫ変調であるため、ここでは応答信号が受信され、電化製品情報テーブル３００にテレビ１０７が有する変調方式等の情報が登録される。
【００７２】
一方、電化製品（テレビ１０７）において、ＰＬＣユニット５０５は、図１０に示すように、電源投入がされると、この招待信号が含まれる電灯線通信に用いられる周波数帯域の信号（以下、「ＰＬＣ信号」という）の検出を監視している。この監視下において、ＰＬＣ信号を検出したならば（ＳＴ１００１）、ＰＬＣユニット５０５は、保有している変調方式であるＦＳＫ方式によりこのＰＬＣ信号を復調する（ＳＴ１００２）。そして、復調したデータをＣＰＵ５０１に送信する（ＳＴ１００３）。
【００７３】
電化製品（テレビ１０７）のＣＰＵ５０１は、図１１に示すように、ＰＬＣユニット５０５からデータ送信を監視している。この監視下において、ＰＬＣユニット５０５から復調されたデータを受信したならば（ＳＴ１１０１）、そのデータが適切に復調が行われているかを判断する（ＳＴ１１０２）。ここで、データの復調が適切に行われているかは、例えば、復調後のデータのフレームに付加されたＣＲＣを検証することで判断する。
【００７４】
適切に復調が行われているならば、この復調されたデータの宛先が自機宛てか判断する（ＳＴ１１０３）。具体的には、この復調されたデータのデータフレームに記述された相手先アドレスに自機（テレビ１０７）のアドレスが記述されているかを判断する。
【００７５】
復調されたデータの宛先が自機宛てであるならば、この復調されたデータのフレームに記述されたデータタイプが初期登録であるか判断する（ＳＴ１１０４）。データタイプが初期登録であるかどうかを判断することにより、以前に管理装置１００に対して応答信号を送信した電化製品が再び応答信号を送信するのを回避することができる。
【００７６】
データタイプが初期登録であった場合には、ＣＰＵ５０１は、応答信号を管理装置１００に対して送信するようにＰＬＣユニット５０５に指示し（ＳＴ１１０５）、処理を終了する。なお、この指示に応じて、ＰＬＣユニット５０５から管理装置１００に応答信号が送信される。
【００７７】
このように本管理装置１００によれば、電灯線１０３に接続されている各電化製品に搭載されたモデムとして機能するＰＬＣユニット５０５の変調方式が異なっていても、管理装置１００が各電化製品に搭載されたモデムの変調方式を確認して登録する。これにより、この管理装置１００が各電化製品に搭載されたモデムの変調方式に適合した制御を行うことが可能となるので、同一の変調方式のモデムを搭載した電化製品を買い揃えることなく、電灯線通信による家庭内の電化製品の制御を実現できる。
【００７８】
また、本管理装置１００によれば、各電化製品が搭載するモデムの変調方式を確認する旨の制御信号の送出を定期的に行う。これにより、各電化製品が搭載するモデムの変調方式の確認は定期的に行われるので、新規に購入した電化製品についても、その変調方式を自動的に登録して漏れることなく対応することができる。
【００７９】
なお、本実施の形態では、各電化製品が搭載するモデムの変調方式を確認する旨の制御信号の送出を定期的に行う場合について説明しているが、これに限定されず、当該制御信号の送出を任意の操作により行なわれるようにしてもよい。この場合には、新規に電化製品を購入した場合、その時点で手動によりその電化製品が搭載したモデムの変調方式を登録できるので、定期的に確認を行う場合のように、新規の電化製品を設置してから自動的に確認動作が行われるまでの間に、その電化製品に対応できないという不都合を解消できる。
【００８０】
次に、管理装置１００が各電化製品から何らかの信号を受信した場合に、その信号を解析することで電化製品が有する変調方式等の情報を登録する場合について説明する。図１２は、本実施の形態に係る管理装置１００が各電化製品から何らかの信号を受信した場合に電化製品の変調方式等の情報を登録する場合の動作を説明するためのフロー図である。
【００８１】
図１２に示す動作は、例えば、新たな電化製品が電灯線１０３に接続され、当該電化製品が有する変調方式を管理装置１００に通知するような場合に実行される。この際、当該電化製品は、発信元アドレス８０２に予め定められた仮アドレスを記述し、またデータタイプ８０４に変調方式等の初期登録の旨を記述したＰＬＣ信号を管理装置１００に送信する。
【００８２】
図１２に示すように、待機状態において、管理装置１００は、電灯線１０３上に接続された電化製品からのＰＬＣ信号を監視している。この状態において、いずれかの電化製品からＰＬＣ信号を受信したならば（ＳＴ１２０１）、このＰＬＣ信号の変調方式を判定する処理（以下、「変調方式判定処理」という）を行う（ＳＴ１２０２）。この変調方式判定処理は図１３を用いて後述する。この変調方式判定処理により、受信したＰＬＣ信号の変調方式が検出される。
【００８３】
ＰＬＣ信号の変調方式を検出したならば、管理装置１００は、当該ＰＬＣ信号を復調する（ＳＴ１２０３）。そして、復調したデータのフレームの内容を解析する（ＳＴ１２０４）。この解析により、発信元アドレス８０２には仮アドレスが記述され、データタイプ８０４が初期登録であることが解析される。
【００８４】
データフレームを解析した後、発信元の変調方式等の情報がメモリ２０２内の電化製品情報テーブル３００に既に登録されているか判断する（ＳＴ１２０５）。なお、ＳＴ１２０４で解析されたデータタイプ８０４が初期登録の場合には、メモリ２０２内の電化製品情報テーブルに変調方式等の情報が未登録であると判断される。
【００８５】
変調方式等の情報が未登録と判断された場合には、ＳＴ１２０２で検出した変調方式等の情報をメモリ２０２内の電化製品情報テーブル３００に登録し（ＳＴ１２０６）、処理を終了する。一方、情報が既に登録されていると判断された場合には、登録処理を行わずに処理を終了する。
【００８６】
ここで、ＳＴ１２０２における変調方式判定処理について説明する。図１３は、本実施の形態に係る管理装置１００における変調方式判定処理の動作について説明するためのフロー図である。なお、この変調方式判定処理は、管理装置１００におけるマルチＰＬＣユニット２０４の受信変調信号判定部４１３により行われる。
【００８７】
図１３に示すように、変調方式判定処理を行う場合、まず、管理装置１００は、ＰＬＣ信号の発信元の電化製品における変調方式を検出する（ＳＴ１３０１）。具体的には、受信したＰＬＣ信号のベースとなっている搬送波の変化点を検出することで、ＰＬＣ信号の発信元の電化製品における変調方式を検出する。
【００８８】
例えば、発信元の電化製品における変調方式がＰＳＫ変調の場合、ＰＬＣ信号のベースとなっている搬送波は、その位相を変化させながら送出される。また、変調方式がＦＳＫ変調の場合、搬送波は、その周波数を変化させながら送出される。さらに、変調方式がＡＳＫ変調の場合、搬送波は、その振幅を変化させながら送出される。管理装置１００は、このようなＰＳＫ変調の場合における位相の変化点、ＦＳＫ変調の場合における周波数の変化点、ＡＳＫ変調の場合における振幅の変化点を検出することで、発信元の電化製品における変調方式を検出する。
【００８９】
図１４は、管理装置１００において、発信元の電化製品における変調方式を検出する場合において、検出される各変調方式の変化点を示した図である。図１４に示すように、ＰＳＫ変調の場合には、点Ａ１、点Ａ２、点Ａ３、点Ａ４で位相の変化点が検出される。また、ＦＳＫ変調の場合には、点Ｂ１、点Ｂ２、点Ｂ３、点Ｂ４、点Ｂ５、点Ｂ６、点Ｂ７、点Ｂ８で周波数の変化点が検出される。さらに、ＡＳＫ変調の場合には、点Ｃ１、点Ｃ２で振幅の変化点が検出される。
【００９０】
発信元の電化製品における変調方式を検出した後、管理装置１００は、その変調方式がＡＳＫ変調であるか（ＳＴ１３０２）、ＰＳＫ変調であるか（ＳＴ１３０３）、ＦＳＫ変調であるか（ＳＴ１３０４）を判断する。
【００９１】
次に、それぞれの変調方式において検出された搬送波の変化点が出現する時間間隔に基づいてデータ伝送速度を検出し（ＳＴ１３０５〜ＳＴ１３０７）、ここで検出した変調方式及びデータ伝送速度をメモリ２０２の電化製品テーブル３００に登録する（ＳＴ１３０８〜ＳＴ１３１０）。なお、変調方式の最後の判断工程に位置したＦＳＫ変調の判断において、ＦＳＫ変調でないと判断された場合には、何らかのエラーが発生したとして処理をＳＴ１３０１に戻す。
【００９２】
このように本管理装置１００によれば、管理装置１００が各電化製品に搭載されたモデムとして機能するＰＬＣユニットの変調方式を登録していない場合であっても、電化製品から何らかの信号が送信されてきた場合、その信号に基づいて各電化製品に搭載されたモデムの変調方式を判断して登録する。これにより、電灯線１０３に接続されている各電化製品に搭載されたモデムの変調方式が異なっていても、管理装置１００が各電化製品に搭載されたモデムの変調方式に適合した制御を行うことが可能となるので、同一の変調方式のモデムを搭載した電化製品を買い揃えることなく、電灯線通信による家庭内の電化製品の制御を実現できる。
【００９３】
次に、本管理装置１００が異なる変調方式を有する電化製品間の電灯線通信を制御する場合の具体例について説明する。図１５は、本管理装置１００が異なる変調方式を有する電化製品間の電灯線通信を制御する場合のシーケンス図である。
【００９４】
図１５においては、変調方式としてＡＳＫ変調を行う冷蔵庫１１１とＦＳＫ変調を行うテレビ１０７との間の通信を制御する場合について示す。具体的には、冷蔵庫１１１からのアラームメッセージ又は確認メッセージをテレビ１０７の表示部５０４に表示する制御を行う場合について示す。なお、冷蔵庫１１１からアラームメッセージが送信される前段階において、冷蔵庫１１１及びテレビ１０７の変調方式等の情報は電化製品情報テーブル３００に登録されているものとする。
【００９５】
ここで、アラームメッセージは、所定時間、ドアが開いた状態である場合に出力されるメッセージであるものとし、確認メッセージは、所定時間開いた状態であったドアが閉じられた場合に出力されるメッセージであるものとする。
【００９６】
冷蔵庫１１１において、所定時間の間、ドアが開いた状態であることを検知すると、冷蔵庫１１１からその旨を示すアラームメッセージが管理装置１００に出力される（ＳＴ１５０１）。このとき、アラームメッセージには、冷蔵庫１１１が有する変調方式であるＡＳＫ変調方式により変調処理が施されている。
【００９７】
管理装置１００は、このＡＳＫ変調されたアラームメッセージを解析した後、出力先であるテレビ１０７が有する変調方式であるＦＳＫ変調方式により変調処理を施し、テレビ１０７に出力する（ＳＴ１５０２）。テレビ１０７では、このアラームメッセージを解析し、表示部５０４に当該アラームメッセージを表示する。
【００９８】
ここで、冷蔵庫１１１のドアが閉められたものとする（ＳＴ１５０３）。この場合、冷蔵庫１１１からその旨を示す確認メッセージが管理装置１００に出力される（ＳＴ１５０４）。このとき、確認メッセージには、冷蔵庫１１１が有する変調方式であるＡＳＫ変調方式により変調処理が施されている。
【００９９】
管理装置１００は、このＡＳＫ変調された確認メッセージを解析した後、出力先であるテレビ１０７が有する変調方式であるＦＳＫ変調方式により変調処理を施し、テレビ１０７に出力する（ＳＴ１５０５）。テレビ１０７では、この確認メッセージを解析し、表示部５０４に当該確認メッセージを表示する。
【０１００】
図１５に示したシーケンスにおける管理装置１００及び電化製品の動作について説明する。図１６及び図１７は、図１５に示したシーケンスにおける冷蔵庫１１１の動作を説明するためのフロー図である。図１８は、図１５に示したシーケンスにおける管理装置１００の動作を説明するためのフロー図である。図１９及び図２０は、図１５に示したシーケンスにおけるテレビ１０７の動作を説明するためのフロー図である。なお、図１６は、冷蔵庫１１１において、所定時間の間、ドアが開いた状態を検出した場合の動作を示し、図１７は、所定時間開いた状態であったドアが閉じられた状態を検出した場合の動作を示している。また、図１９は、テレビ１０７のＰＬＣユニット５０５の動作を示し、図２０は、テレビ１０７のＣＰＵ５０１の動作を示している。
【０１０１】
図１６に示すように、冷蔵庫１１１は、ドアが開けられたかを常に監視している。この監視下において、ドアが開いたならば（ＳＴ１６０１）、その状態で所定時間が経過したかどうかを判断する（ＳＴ１６０２）。
【０１０２】
ドアが開いた状態で所定時間が経過しているならば、冷蔵庫１１１は、ＰＬＣユニットのＡＳＫ変調部でドアが所定時間の間、開いた状態である旨のアラームメッセージにＡＳＫ変調処理を施し、管理装置１００に送信する（ＳＴ１６０３）。そして、ドアの所定時間の開放状態を示すフラグ（以下、「開放状態フラグ」という）に”１”をセットし（ＳＴ１６０４）、処理を終了する。
【０１０３】
一方、図１７に示すように、ドアが開けられた場合と同様に、冷蔵庫１１１は、ドアが閉じられたか否かも常に監視している。この監視下において、ドアが閉じられたならば（ＳＴ１７０１）、開放状態フラグに”１”がセットされているか否かを判断する（ＳＴ１７０２）。
【０１０４】
開放状態フラグに”１”がセットされているならば、冷蔵庫１１１は、ＰＬＣユニットのＡＳＫ変調部でドアが閉じられた旨の確認メッセージを管理装置１００に送信する（ＳＴ１７０３）。そして、開放状態フラグに”０”をセットし（ＳＴ１７０４）、処理を終了する。
【０１０５】
図１８に示すように、待機状態において、管理装置１００は、電灯線１０３上に接続された電化製品からのＰＬＣ信号を監視している。この状態において、いずれかの電化製品からＰＬＣ信号を受信したならば（ＳＴ１８０１）、このＰＬＣ信号の変調方式判定処理を行う（ＳＴ１８０２）。この変調方式判定処理は、図１３で説明した処理と同様であるため、その説明を省略する。尚、この処理は、モデムの変調方式等の情報が既登録の場合、省略してもよい。
【０１０６】
ＰＬＣ信号の変調方式を検出したならば、管理装置１００は、当該ＰＬＣ信号を復調する（ＳＴ１８０３）。そして、復調したデータのフレームの内容を解析する（ＳＴ１８０４）。この解析により、発信元アドレス８０２には冷蔵庫１１１に割り当てられたアドレス（図３に示す”０Ｘ０１１０”）が記述され、相手先アドレス８０３にはテレビ１０７に割り当てられたアドレス（図３に示す”０Ｘ０１０７”）が記述され、データタイプ８０４がアラームメッセージであることが解析される。
【０１０７】
データフレームを解析した後、解析された相手先アドレス８０３に指定されたアドレスに基づいて当該アラームメッセージの送信先（相手先）の情報が電化製品情報テーブル３００に登録されているか否かを判断する（ＳＴ１８０５）。上述のように、電化製品情報テーブル３００には、送信先であるテレビ１０７の変調方式等の情報が登録されている。
【０１０８】
送信先の情報が電化製品情報テーブル３００に登録されているならば、電化製品情報テーブル３００に登録された変調方式等の情報を参照する（ＳＴ１８０６）。電化製品情報テーブル３００には、図３に示すように、テレビ１０７の変調方式として、ＦＳＫによる変調方式が登録されている。したがって、このＦＳＫによる変調方式等の情報が本管理装置１００により参照される。
【０１０９】
そして、本管理装置１００は、電化製品情報テーブル３００に登録された変調方式等の情報により、冷蔵庫１１１からのアラームメッセージに変調処理を施した後、変調後のアラームメッセージをテレビ１０７に送信する（ＳＴ１８０７）。すなわち、送信先であるテレビ１０７の変調方式に合わせてアラームメッセージにＦＳＫ変調を行った後、ＦＳＫ変調後のアラームメッセージをテレビ１０７に送信する。
【０１１０】
なお、ＳＴ１８０５により電化製品情報テーブル３００に送信先の変調方式等の情報が登録されていない場合には、本管理装置１００は、図９で説明した、電灯線１０３に接続された電化製品の変調方式等の情報の登録処理を行う（ＳＴ１８０８）。そして、送信先であるテレビ１０７の変調方式等の情報を把握した後、この情報に基づいて冷蔵庫１１１から送信されたアラームメッセージに変調処理を施し、テレビ１０７に送信する。
【０１１１】
ここでは、冷蔵庫１１１からのアラームメッセージについてのみ説明しているが、図１７で説明した冷蔵庫１１１からの確認メッセージも同様に処理される。すなわち、冷蔵庫１１１が有する変調方式で復調された後、テレビ１０７が有する変調方式で変調され、テレビ１０７に送信される。
【０１１２】
一方、テレビ１０７において、ＰＬＣユニット５０５は、図１９に示すように、電源投入がされると、ＰＬＣ信号の検出を監視している。この監視下において、ＰＬＣ信号を検出したならば（ＳＴ１９０１）、ＰＬＣユニット５０５は、保有している変調方式であるＦＳＫ方式によりこのＰＬＣ信号を復調する（ＳＴ１９０２）。そして、復調したデータをＣＰＵ５０１に送信する（ＳＴ１９０３）。
【０１１３】
テレビ１０７のＣＰＵ５０１は、図２０に示すように、ＰＬＣユニット５０５からデータ送信を監視している。この監視下において、ＰＬＣユニット５０５から復調されたデータを受信したならば（ＳＴ２００１）、そのデータが適切に復調が行われているかを判断する（ＳＴ２００２）。ここで、データの復調が適切に行われているかは、例えば、復調後のデータのフレームに付加されたＣＲＣを検証することで判断する。
【０１１４】
適切に復調が行われているならば、テレビ１０７は、この復調データを表示部５０４に表示する（ＳＴ２００３）。これにより、冷蔵庫１１１から送信されたアラームメッセージがテレビ１０７の表示部５０４に表示されることとなる。なお、ここでは、アラームメッセージをテレビ１０７の表示部５０４に表示する場合の動作について説明しているが、確認メッセージを受信し、表示部５０４に表示されているアラームメッセージを消去する場合にも、図２０に示す同様の処理が行われる。
【０１１５】
このように本管理装置１００によれば、電灯線１０３に接続されている各電化製品に搭載されたモデムとして機能するＰＬＣユニットの変調方式が異なっていても、電化製品情報テーブル３００に登録された各電化製品に搭載されたモデムの変調方式等の情報に基づいて第１電化製品（冷蔵庫１１１）が搭載したモデムの変調方式の制御信号と第２電化製品（テレビ１０７）が搭載したモデムの変調方式の制御信号とを変換して第１電化製品（冷蔵庫１１１）と第２電化製品（テレビ１０７）との間の通信を行う。上述の例でいえば、冷蔵庫１１１のドアが所定時間以上開いている旨をテレビ１０７の表示部５０４に表示させる。これにより、同一の変調方式のモデムを搭載した電化製品を買い揃えることなく、電灯線通信による家庭内の電化製品の制御を実現できる。
【０１１６】
なお、本実施の形態では、管理装置１００を各電化製品から独立した形態とした場合について説明している。しかし、これに限定されず、電灯線１０３に接続されたいずれかの電化製品に本管理装置１００の機能を搭載するようにしてもよい。この場合にも本実施の形態で説明したのと同様の効果を得ることができることは言うまでもない。また、管理装置１００と本管理装置１００の機能を搭載した電化製品とを並列に配置してもよい。例えば、管理装置１００の機能を搭載した電化製品をサブ管理装置と位置付け、通信状況の変化により管理装置１００のみでは他の電化製品と通信できなくなった場合に、管理装置１００の機能を搭載した電化製品に、管理装置１００と他の電化製品との間の中継機としての役割を果たさせることもできる。
【０１１７】
【発明の効果】
以上説明したように、本発明によれば、電灯線通信に用いるモデムの変調方式が統一されていない欧州においても、同一の変調方式のモデムを搭載した電化製品を買い揃えることなく、家庭内の全電化製品の制御を電灯線通信により行うことができる。
【図面の簡単な説明】
【図１】本発明の一実施の形態に係る管理装置が適用される家庭内ネットワークの構成を示すブロック図
【図２】上記実施の形態に係る管理装置の概略構成を示すブロック図
【図３】上記実施の形態に係る管理装置のメモリに格納される電化製品情報テーブルの一例を示す図
【図４】上記実施の形態に係る管理装置のマルチＰＬＣユニットの構成を示すブロック図
【図５】上記実施の形態に係る管理装置と電灯線を介して接続された電化製品の概略構成を示すブロック図
【図６】上記実施の形態に係る管理装置と電灯線を介して接続された電化製品（テレビ）のＰＬＣユニットの構成を示すブロック図
【図７】上記実施の形態に係る管理装置から各電化製品に対して変調方式を確認するための制御信号を送信し、応答信号を受信する場合のシーケンス図
【図８】上記実施の形態に係る管理装置と電化製品との間で交換されるデータのフレーム構造の模式図
【図９】図７に示したシーケンスにおける管理装置の動作を説明するためのフロー図
【図１０】図７に示したシーケンスにおける電化製品の動作を説明するためのフロー図
【図１１】図７に示したシーケンスにおける電化製品の動作を説明するためのフロー図
【図１２】上記実施の形態に係る管理装置が各電化製品から何らかの信号を受信した場合に電化製品の変調方式等の情報を登録する場合の動作を説明するためのフロー図
【図１３】上記実施の形態に係る管理装置における変調方式判定処理の動作について説明するためのフロー図
【図１４】上記実施の形態に係る管理装置において、発信元の電化製品における変調方式を検出する場合において、検出される各変調方式の変化点を示した図
【図１５】上記実施の形態に係る管理装置が異なる変調方式を有する電化製品間の電灯線通信を制御する場合のシーケンス図
【図１６】図１５に示したシーケンスにおける冷蔵庫の動作を説明するためのフロー図
【図１７】図１５に示したシーケンスにおける冷蔵庫の動作を説明するためのフロー図
【図１８】図１５に示したシーケンスにおける管理装置の動作を説明するためのフロー図
【図１９】図１５に示したシーケンスにおけるテレビの動作を説明するためのフロー図
【図２０】図１５に示したシーケンスにおけるテレビの動作を説明するためのフロー図
【符号の説明】
１００  管理装置
１０１  電力会社
１０２  公衆回線網
１０３  電灯線
１０４，１０６，１１２  室内照明
１０５  エアコン
１０７，１０８  テレビ
１０９  洗濯機
１１０  電子レンジ
１１１  冷蔵庫
２０１，５０１  ＣＰＵ
２０２，５０２  メモリ
２０４  マルチＰＬＣユニット
３００  電化製品情報テーブル
４０４  変調部
４０５  復調部
５０５  ＰＬＣユニット
６０４  ＦＳＫ変調部
６０５  ＦＳＫ復調部
【図１】
2004201065.tif 000003
【図２】
2004201065.tif 000004
【図３】
2004201065.tif 000005
【図４】
2004201065.tif 000006
【図５】
2004201065.tif 000007
【図６】
2004201065.tif 000008
【図７】
2004201065.tif 000009
【図８】
2004201065.tif 000010
【図９】
2004201065.tif 000011
【図１０】
2004201065.tif 000012
【図１１】
2004201065.tif 000013
【図１２】
2004201065.tif 000014
【図１３】
2004201065.tif 000015
【図１４】
2004201065.tif 000016
【図１５】
2004201065.tif 000017
【図１６】
2004201065.tif 000018
【図１７】
2004201065.tif 000019
【図１８】
2004201065.tif 000020
【図１９】
2004201065.tif 000021
【図２０】
2004201065.tif 000022